(57)【要約】【課題】  過誤入力に起因する走行車線逸脱を効果的に防止することができる車両用操舵装置を提供すること。【解決手段】  制御装置（転舵ＥＣＵ）は、運転者によるステアリング操作が過誤入力であるか否かを判定する（ステップ３０１〜３０５）。具体的には、運転者によるステアリング操作が車両を走行車線から逸脱させるものであり（ステップ３０１：ＹＥＳ）、且つ運転者に車線変更の意図がないと推定される場合（最終的にステップ３０５：ＮＯ）に、そのステアリング操作が過誤入力であると判定する。そして、過誤入力であると判定した場合には、同転舵ＥＣＵ内において演算された制御目標角θt*を無効とし、ステアリング操作に応じた転舵角の変更を実行しない（ステップ３０６）。【選択図】  図５
2006248304.tif 000002
【特許請求の範囲】
【請求項１】
転舵輪と機械的に分離されたステアリングと、前記転舵輪の転舵角を変更するための転舵アクチュエータと、前記ステアリングに入力されるステアリング操作を検出するステアリング入力検出手段と、該検出されたステアリング操作に応じて前記転舵角を変更すべく前記転舵アクチュエータの作動を制御する制御手段とを備えた車両用操舵装置であって、
前記検出されたステアリング操作が過誤入力によるものであるか否かを判定する過誤入力判定手段を備え、
前記制御手段は、前記検出されたステアリング操作が過誤入力によるものである場合には、該ステアリング操作に基づく前記転舵角の変更を行わないこと、
を特徴とする車両用操舵装置。
【請求項２】
請求項１に記載の車両用操舵装置において、
車両の走行車線を検出する走行車線検出手段と、
運転者の車線変更意図を推定する推定手段とを備え、
前記過誤入力判定手段は、前記検出されたステアリング操作が車両を走行車線から逸脱させるものであり、且つ車線変更の意図がないと推定される場合に、該検出されたステアリング操作を過誤入力によるものであると判定すること、を特徴とする車両用操舵装置。
【請求項３】
請求項２に記載の車両用操舵装置において、
非操縦系の操作部材に対する入力操作を検出する操作入力検出手段を備え、
前記推定手段は、前記操作部材に対する入力操作があり、且つブレーキ入力及び所定速度以上の操舵速度が検出されない場合に、前記車線変更の意図がないと推定すること、
を特徴とする車両用操舵装置。
【請求項４】
請求項３に記載の車両用操舵装置において、
前記非操縦系の操作部材は、カーオーディオ、カーエアコン、又はカーナビゲーションシステムの操作部材であること、を特徴とする車両用操舵装置。
【請求項５】
請求項２に記載の車両用操舵装置において、
前記推定手段は、方向指示入力がある場合に、前記車線変更の意図があると推定すること、を特徴とする車両用操舵装置。
【請求項６】
請求項２〜請求項５のうちの何れか一項に記載の車両用操舵装置において、
前記走行車線検出手段により検出される走行車線情報に基づいて、前記走行車線内の走行を維持するための目標転舵角を演算する自動操舵制御手段を備え、
前記過誤入力判定手段は、前記検出されたステアリング操作に基づく前記転舵角の制御目標角と前記演算された目標転舵角との比較により、該検出されたステアリング操作が車両を走行車線から逸脱させるものであるか否かを判定すること、
を特徴とする車両用操舵装置。
【請求項７】
請求項６に記載の車両用操舵装置において、
前記制御手段は、前記検出されたステアリング操作が過誤入力によるものである場合には、前記演算された目標転舵角に基づいて前記転舵アクチュエータの作動を制御すること、を特徴とする車両用操舵装置。
【請求項８】
請求項１〜請求項７のうちの何れか一項に記載の車両用操舵装置において、
前記ステアリングに入力される操舵トルクに応じた操舵反力を付与すべく制御される反力アクチュエータを備え、
前記制御手段は、前記検出されたステアリング操作が過誤入力によるものである場合には、前記付与する操舵反力を前記過誤入力でない場合よりも大とすべく前記反力アクチュエータの作動を制御すること、を特徴とする車両用操舵装置。
【請求項９】
請求項１〜請求項７のうちの何れか一項に記載の車両用操舵装置において、
前記ステアリングの操舵角を変更可能な反力アクチュエータを備え、
前記制御手段は、前記検出されたステアリング操作が過誤入力によるものである場合には、前記ステアリングの操舵角を前記転舵角に応じた値とすべく前記反力アクチュエータの作動を制御すること、を特徴とする車両用操舵装置。
【請求項１０】
請求項１〜請求項９のうちの何れか一項に記載の車両用操舵装置において、
前記検出されたステアリング操作が過誤入力によるものである場合に、該過誤入力がなされた旨を警告する警告手段を備えること、を特徴とする車両用操舵装置。
【発明の詳細な説明】
【技術分野】
【０００１】
本発明は、レーンキープ機能を備えたステアバイワイヤ式の車両用操舵装置に関するものである。
【背景技術】
【０００２】
近年、各種センサにより検出される車両状態量及び車両周囲の状況信号（車間距離や白線検知信号等）に基づいて、ステアリング操作によらず自動的に転舵輪の舵角（転舵角）を制御することにより、車両の自動操縦を可能とする車両用操舵装置が提案されている。そして、このようなものには、画像処理等により車両が走行中の走行車線を検出し、その検出された走行車線情報に基づき演算される目標転舵角に基づいて、車両が走行車線内を走行し続けるようにその転舵角を制御する所謂レーンキープ機能を備えたものがある（例えば、特許文献１参照）。
【０００３】
ところで、こうしたレーンキープ機能の作動中は、総じて運転者の緊張感並びに注意力が自ら運転する時よりも低下する傾向にある。そのため、運転者の意図に反して車両が走行車線から逸脱した場合（若しくはその可能性がある場合）の対策が重要な課題の一つとなっている。具体的には、走行車線からの逸脱可能性の早期判定（例えば、特許文献２参照）や、意図に反する逸脱発生時の衝突リスク低減機能（例えば、特許文献３参照）等が挙げられる。そして、こうした対策を施すことで、レーンキープ機能の安全性を向上させることができ、これにより運転者の安心感を高めてその負担を効果的に軽減することができる。
【特許文献１】特開平０７−１０４８５０号公報
【特許文献２】特開２００３−３３７９９８号公報
【特許文献３】特開２００４−１３６７８７号公報
【発明の開示】
【発明が解決しようとする課題】
【０００４】
しかしながら、運転者の意図に反する走行車線からの逸脱は、こうしたレーンキープ機能の作動時に限ったことではない。例えば、運手者が自ら運転している場合であっても、エアコンやカーオーディオ等のスイッチを操作する際等、その一瞬の注意力低下に伴うステアリングの過誤操作（過誤入力）によってこのような走行車線からの逸脱が引き起こされる場合がある。そして、こうした過誤入力時には、その走行車線からの逸脱速度が速いため、上記のような逸脱可能性判定により警告を行ったとしても間に合わない可能性がある。そのため、従来より、こうした過誤入力に起因する走行車線からの逸脱を効果的に防止する方法が強く求められている。
【０００５】
本発明は、上記問題点を解決するためになされたものであって、その目的は、過誤入力に起因する走行車線逸脱を効果的に防止することができる車両用操舵装置を提供することにある。
【課題を解決するための手段】
【０００６】
上記問題点を解決するために、請求項１に記載の発明は、転舵輪と機械的に分離されたステアリングと、前記転舵輪の転舵角を変更するための転舵アクチュエータと、前記ステアリングに入力されるステアリング操作を検出するステアリング入力検出手段と、該検出されたステアリング操作に応じて前記転舵角を変更すべく前記転舵アクチュエータの作動を制御する制御手段とを備えた車両用操舵装置であって、前記検出されたステアリング操作が過誤入力によるものであるか否かを判定する過誤入力判定手段を備え、前記制御手段は、前記検出されたステアリング操作が過誤入力によるものである場合には、該ステアリング操作に基づく前記転舵角の変更を行わないこと、を要旨とする。
【０００７】
請求項２に記載の発明は、車両の走行車線を検出する走行車線検出手段と、運転者の車線変更意図を推定する推定手段とを備え、前記過誤入力判定手段は、前記検出されたステアリング操作が車両を走行車線から逸脱させるものであり、且つ車線変更の意図がないと推定される場合に、該検出されたステアリング操作を過誤入力によるものであると判定すること、を要旨とする。
【０００８】
請求項３に記載の発明は、非操縦系の操作部材に対する入力操作を検出する操作入力検出手段を備え、前記推定手段は、前記操作部材に対する入力操作があり、且つブレーキ入力及び所定速度以上の操舵速度が検出されない場合に、前記車線変更の意図がないと推定すること、を要旨とする。
【０００９】
請求項４に記載の発明は、前記非操縦系の操作部材は、カーオーディオ、カーエアコン、又はカーナビゲーションシステムの操作部材であること、を要旨とする。
請求項５に記載の発明は、前記推定手段は、方向指示入力がある場合に、前記車線変更の意図があると推定すること、を要旨とする。
【００１０】
上記各構成によれば、わき見等により、運転者が車両を走行車線から逸脱させるような過誤入力をした場合であっても、その過誤によるステアリング操作によって車両が転舵することはない。従って、過誤入力に起因する走行車線からの逸脱を効果的に防止することができる。特に請求項２の構成により、ステアリング操作が過誤入力であるか否かの判定を精度よく行うことができ、請求項３の構成により、走行車線逸脱の意図を精度良く推定することができる。その結果、過誤入力防止機能の精度を高めることができる。尚、この場合における「過誤入力」は、ステアリング操作により実際に操舵角が発生した場合のみならず、本来、操舵角が発生し又はその変更がなされるべきところであるにも関わらず、かかるステアリング操作がなされない場合をも含むものである。
【００１１】
請求項６に記載の発明は、走行車線検出手段により検出される走行車線情報に基づいて、前記走行車線内の走行を維持するための目標転舵角を演算する自動操舵制御手段を備え、前記過誤入力判定手段は、前記検出されたステアリング操作に基づく前記転舵角の制御目標角と前記演算された目標転舵角との比較により、該検出されたステアリング操作が車両を走行車線から逸脱させるものであるか否かを判定すること、を要旨とする。
【００１２】
上記構成によれば、いち早く走行車線からの逸脱可能性を判定することができ、これにより過誤入力防止機能の精度を高めることができる。
請求項７に記載の発明は、前記制御手段は、前記検出されたステアリング操作が過誤入力によるものである場合には、前記演算された目標転舵角に基づいて前記転舵アクチュエータの作動を制御すること、を要旨とする。
【００１３】
上記構成によれば、より確実に走行車線からの逸脱を防止することができる。
請求項８に記載の発明は、前記ステアリングに入力される操舵トルクに応じた操舵反力を付与すべく制御される反力アクチュエータを備え、前記制御手段は、前記検出されたステアリング操作が過誤入力によるものである場合には、前記付与する操舵反力を前記過誤入力でない場合よりも大とすべく前記反力アクチュエータの作動を制御すること、を要旨とする。
【００１４】
請求項９に記載の発明は、前記ステアリングの操舵角を変更可能な反力アクチュエータを備え、前記制御手段は、前記検出されたステアリング操作が過誤入力によるものである場合には、前記ステアリングの操舵角を前記転舵角に応じた値とすべく前記反力アクチュエータの作動を制御すること、を要旨とする。
【００１５】
上記各構成によれば、操舵反力の増加によって運転者に過誤入力の発生を早期に認識させることができる。特に請求項９の構成によれば、操舵角が転舵角に対応することによって、素早く通常制御に復帰することができるようになる。
【００１６】
請求項１０に記載の発明は、前記検出されたステアリング操作が過誤入力によるものである場合に、該過誤入力がなされた旨を警告する警告手段を備えること、を要旨とする。
上記構成によれば、搭乗者に走行車線からの逸脱の可能性があったことを迅速に知らしめることができる。
【発明の効果】
【００１７】
本発明によれば、過誤入力に起因する走行車線逸脱を効果的に防止することが可能な車両用操舵装置を提供することができる。
【発明を実施するための最良の形態】
【００１８】
以下、本発明をレーンキープ機能を備えたステアバイワイヤ式の車両用操舵装置（ステアリング装置）に具体化した一実施形態を図面に従って説明する。
図１に示すように、本実施形態のステアリング装置１は、ステアリング（ハンドル）２を含む操舵機構３と転舵輪４の舵角を変更するための転舵機構５とが機械的に非連結、即ちステアリング２と転舵輪４とが機械的に分離された所謂ステアバイワイヤ式の車両用操舵装置である。
【００１９】
操舵機構３は、ステアリング２が固定されたステアリングシャフト６と、ステアリング操作に伴うステアリング２の舵角、即ち操舵角θsを検出するための操舵角検出手段としての操舵角センサ７とを備えている。そして、転舵機構５は、操舵角センサ７により検出される操舵角θsに基づいて、そのステアリング操作に応じた転舵輪４の舵角を発生させるための転舵アクチュエータ８を備えている。本実施形態では、転舵機構５は、タイロッド９及びナックルアーム１０を介して左右の転舵輪４を連結する転舵軸１２を有しており、転舵アクチュエータ８は、駆動源としてのモータ１３と該モータ１３の回転を転舵軸１２の往復動に変換する変換機構１４とを備えている。尚、本実施形態の転舵アクチュエータ８は、転舵軸１２と同軸配置されたブラシレスモータを有し、変換機構１４としてボール螺子機構を備えている。そして、この転舵アクチュエータ８により駆動された転舵軸１２の往復動が転舵輪４に伝達されることにより、同転舵輪４の舵角、即ち転舵角θtが変更されるようになっている。
【００２０】
また、本実施形態では、操舵機構３は、ステアリング操作によってステアリング２に印加される操舵トルクτを検出するための操舵トルク検出手段としてのトルクセンサ１６と、該検出された操舵トルクτ（及び後述する路面反力Ｆr）に応じた操舵反力をステアリング２に付与するための反力アクチュエータ１７とを備えている。反力アクチュエータ１７は、駆動源としてのモータ１８と、該モータ１８の回転を減速してステアリングシャフト６に伝達する減速機構１９とを備えている。尚、本実施形態では、反力アクチュエータ１７のモータ１８には、転舵アクチュエータ８のモータ１３と同様にブラシレスモータが採用されている。そして、反力アクチュエータ１７は、減速機構１９を介してモータ１８の発生するモータトルクをステアリングシャフト６に伝達することによりステアリング２に操舵反力を付与するようになっている。
【００２１】
本実施形態では、転舵アクチュエータ８及び反力アクチュエータ１７は、制御手段としての制御装置２０によりその作動が制御されている。詳述すると、転舵アクチュエータ８のモータ１３及び反力アクチュエータ１７のモータ１８は、制御装置２０と接続されており、各モータ１３，１８は、制御装置２０から供給される三相（Ｕ，Ｖ，Ｗ）の駆動電力に基づいて回転する。そして、制御装置２０は、その駆動電力の供給を通じて各モータ１３，１８の回転を制御することにより、転舵アクチュエータ８及び反力アクチュエータ１７の作動を制御する。
【００２２】
具体的には、制御装置２０は、上記操舵角センサ７及びトルクセンサ１６、並びに車速センサ２１の出力信号に基づいて操舵角θs、操舵トルクτ及び車速Ｖを検出する。また、転舵軸１２には、変位量センサ２２が設けられており、制御装置２０は、この変位量センサ２２の出力信号に基づいて転舵輪４の転舵角θtを決定する同転舵軸１２の軸方向の変位量Ｘを検出する。尚、本実施形態では、モータ１３のモータ回転角θmsを検出する回転角センサにより上記変位量センサ２２が構成されている。また、制御装置２０は、電流センサ２３ａ、２３ｂにより、両アクチュエータの各モータ１３，モータ１８に供給される各実電流値Ｉs，Ｉrを検出し、及び回転角センサ２４により反力アクチュエータ１７のモータ１８のモータ回転角θmrを検出する。そして、制御装置２０は、その検出された操舵角θs、車速Ｖ及び変位量Ｘに基づいて、転舵輪４の転舵角θtを変更すべく転舵アクチュエータ８の作動を制御し、操舵トルクτ及び車速Ｖ（並びに推定された路面反力Ｆr）に基づいて、操舵反力を付与すべく反力アクチュエータ１７の作動を制御する。
【００２３】
さらに詳述すると、制御装置２０は、転舵アクチュエータ８を制御するための転舵ＥＣＵ２５と、反力アクチュエータ１７を制御するための反力ＥＣＵ２６とを備えている。そして、これら転舵ＥＣＵ２５及び反力ＥＣＵ２６は、それぞ対応する各モータ１３，１８を制御するためのモータ制御信号を出力するマイコン２７，２８と、そのモータ制御信号に基づいて各モータ１３，１８に駆動電力を供給する駆動回路２９，３０とを備えている。
【００２４】
図２のフローチャートに示すように、転舵ＥＣＵ２５側のマイコン２７は、先ず、上記各センサの出力信号に基づいて、各センサ値（操舵角θs、車速Ｖ及び変位量Ｘ）を検出する（ステップ１０１）。次に、マイコン２７は、検出された操舵角θs及び車速Ｖに基づいて転舵角θtの制御目標角θt*である変位量指令値Ｘ*を演算し（ステップ１０２）、その演算により算出された変位量指令値Ｘ*及び検出された変位量Ｘに基づくフィードバック制御演算、即ち位置制御演算を実行する（ステップ１０３）。そして、この位置制御演算により算出された制御量εsに基づいてモータ駆動信号を生成し、そのモータ駆動信号を駆動回路２９へと出力する（ステップ１０４）。そして、駆動回路２９がそのモータ駆動信号に応じた駆動電力をモータ１３に供給することにより、ステアリング操作に応じた値に転舵角θtを変更すべく転舵アクチュエータ８の作動が制御されるようになっている。
【００２５】
また、図３のフローチャートに示すように、反力ＥＣＵ２６側のマイコン２８は、先ず、各センサ値（操舵トルクτ、車速Ｖ、変位量Ｘ、モータ回転角θmr，実電流値Ｉr（反力アクチュエータ側），実電流値Ｉs（転舵アクチュエータ側））を検出する（ステップ２０１）。次に、マイコン２８は、検出された変位量Ｘ及び転舵アクチュエータ８の各モータ１３に供給される駆動電力の実電流値Ｉsに基づいて、転舵輪４に作用する路面反力Ｆrを推定し（ステップ２０２）、続いて、その推定された路面反力Ｆr及び上記検出された操舵トルクτに基づいて、操舵反力トルクの制御目標量である電流指令値Ｉq*を演算する（ステップ２０３）。そして、この電流指令値Ｉq*及び検出されたモータ１８に供給される駆動電力の実電流値Ｉr、並びにモータ回転角θmrに基づいてフィードバック制御演算を実行し（ステップ２０４）、その演算により算出された制御量εrに基づくモータ制御信号を出力する（ステップ２０５）。そして、駆動回路３０がそのモータ駆動信号に応じた駆動電力をモータ１８へと供給し、その発生するモータトルクが減速機構１９を介してステアリングシャフト６に伝達されることにより、操舵トルクτ、路面反力Ｆr及び車速Ｖに応じた操舵反力がステアリング２に付与されるようになっている。
【００２６】
（レーンキープ機能）
また、本実施形態のステアリング装置１は、車両３１が現在走行中の走行車線３２内を走行し続けるように、ステアリング操作によらず自動的にその転舵角を制御する所謂レーンキープ機能を備えている（図４参照）。
【００２７】
詳述すると、図１に示すように、ステアリング装置１は、車両３１が走行中の走行車線３２を検出し、その情報（走行車線情報）を出力する走行車線検出装置３３と、該走行車線情報Ｉ_rrに基づいて、車両が走行車線３２内の走行を維持するための目標転舵角θt_a*を演算する上位制御装置３４とを備えている。本実施形態では、走行車線検出装置３３は、走行路面３６の画像を撮影するカメラ３７と、車線ＥＣＵ３８とを備え、車線ＥＣＵ３８は、走行路面３６の画像を処理することにより、走行車線３２を規定するマーカ（白線）３９を検出し、検出された車両３１両側のマーカ３９に関する情報を走行車線情報Ｉ_rrとして上位制御装置３４に出力する。そして、上位制御装置３４は、その走行車線情報Ｉ_rrに基づいて目標転舵角θt_a*を演算する。
【００２８】
また、本実施形態では、ステアリング装置１は、レーンキープ機能を「オン」、即ちレーンキープ制御を開始するための開始ＳＷ（開始スイッチ）４０を備えており、上位制御装置３４により演算された目標転舵角θt_a*は、この開始ＳＷ４０の出力するオン／オフ信号Ｓ_krとともに制御装置２０（転舵ＥＣＵ２５）に入力される。そして、転舵ＥＣＵ２５は、そのオン／オフ信号Ｓ_krが「ＯＮ」となった場合には、同転舵ＥＣＵ２５内部で演算された制御目標角θt*、即ちステアリング操作に基づく制御目標角θt*（図２参照ステップ１０２）に代えて、上位制御装置３４から入力される目標転舵角θt_a*に基づき転舵アクチュエータ８の作動を制御する。そして、これにより、走行車線３２内の走行を維持すべく自動的にその転舵角θtが制御されるようになっている。
【００２９】
尚、本実施形態では、転舵ＥＣＵ２５には、車両のブレーキ（図示略）が操作されたことを示すブレーキＯＮ信号Ｓ_bk、並びに方向指示器（図示略）が操作されたことを示す方向指示信号Ｓ_trが入力されるようになっている。そして、本実施形態では、運転者によるステアリング操作、ブレーキ操作、又は方向指示操作の何れかがなされた場合に、そのレーンキープ制御を終了するようになっている。
【００３０】
（過誤入力防止機能）
次に、本実施形態のステアリング装置における過誤入力防止機能について説明する。
本実施形態のステアリング装置１は、運転者の過誤によるステアリング操作、即ち過誤入力に起因する車両３１の走行車線３２からの逸脱を防止する過誤入力防止機能を有している。具体的には、制御装置２０は、ステアリング２に入力されたステアリング操作が運転者の過誤によるものであるか否かを判定し、そのステアリング操作が過誤であると判定した場合には、そのステアリング操作に基づく転舵角θtの変更を実行しない。そして、上記レーンキープ制御を開始するとともに、搭乗者に対し、警告装置４１を介して音響的・視覚的な手法により走行車線３２からの逸脱の可能性があったことを警告する。
【００３１】
詳述すると、図５のフローチャートに示すように、制御装置２０（転舵ＥＣＵ２５）は、先ず運転者によるステアリング操作が過誤入力であるか否かを判定する（ステップ３０１〜３０５）。本実施形態では、この過誤入力であるか否かの判定は、運転者によるステアリング操作が車両３１を走行車線３２から逸脱させるものであるか否かの判定（ステップ３０１）、及びその走行車線３２からの逸脱が運転者の意図によるものであるか否かの推定（ステップ３０２〜３０４）により行われる。そして、運転者によるステアリング操作が車両３１を走行車線３２から逸脱させるものであり（ステップ３０１：ＹＥＳ）、且つ運転者に車線変更の意図がないと推定される場合に、そのステアリング操作が過誤入力であると判定する。
【００３２】
さらに詳述すると、本実施形態では、転舵ＥＣＵ２５は、同転舵ＥＣＵ２５内で演算された転舵角θtの制御目標角θt*、即ちステアリング操作に基づく制御目標角θt*（図２参照ステップ１０２）と上位制御装置３４から入力される目標転舵角θt_a*とを比較する。そして、その差分（|θt*−θt_a*|）が所定の閾値αよりも大きい場合に、そのステアリング操作が走行車線３２を逸脱させるものであると判定する（ステップ３０１）。
【００３３】
次に、上記ステップ３０１において、ステアリング操作が走行車線３２を逸脱させるものであると判定した場合（|θt*−θt_a*|＞α、ステップ３０１：ＹＥＳ）、転舵ＥＣＵ２５は、続いて走行車線３２からの逸脱が運転者の意図によるものであるか否かの推定を実行する。尚、本実施形態では、転舵ＥＣＵ２５には、上記ブレーキＯＮ信号Ｓ_bk及び方向指示信号Ｓ_trとともに、車両の走行に直接関係のない非操縦系の操作部材（カーオーディオやカーエアコン、或いはカーナビゲーションシステムのスイッチ等）への操作入力の有無を示す操作入力信号Ｓ_nsが入力されるようになっている（図１参照）。そして、この車線変更意図の推定は、方向指示入力の有無、及び非操縦系の操作部材への操作入力による注意力の低下が発生していると推定されるか否かにより行われる。
【００３４】
具体的には、転舵ＥＣＵ２５は、先ず方向指示信号Ｓ_trが「ＯＮ」となっているか否か、即ち方向指示器が操作されたか否かを判定する（ステップ３０２）。そして、方向指示器が操作されたと判定した場合（Ｓ_tr＝ＯＮ、ステップ３０２：ＹＥＳ）には、その走行車線３２からの逸脱が運転者の意図によるものであると判定し、以下に示すステップ３０３〜ステップ３０９の処理を実行しない。
【００３５】
一方、上記ステップ３０２において、方向指示器の操作がなされていないと判定した場合（Ｓ_tr＝ＯＦＦ、ステップ３０２：ＮＯ）には、転舵ＥＣＵ２５は、続いて操作入力信号Ｓ_nsが「ＯＮ」となっているか否か、即ち非操縦系の操作部材への操作入力がなされたか否かを判定する（ステップ３０３）。そして、非操縦系の操作部材への操作入力がなされたと判定した場合（Ｓ_ns＝ＯＮ、ステップ３０３：ＹＥＳ）には、続いてブレーキＯＮ信号Ｓ_bkが「ＯＮ」となっているか否か（ステップ３０４）、所定速度ω０以上の操舵速度ωsが検出されたか否か（ステップ３０５）を判定する。そして、ブレーキＯＮ信号Ｓ_bkが「ＯＦＦ」であり（Ｓ_bk＝ＯＦＦ、ステップ３０４：ＮＯ）、且つ所定速度ω０以上の操舵速度ωsが検出されない場合（|ωs|＜ω０、ステップ３０５：ＮＯ）である場合にその走行車線３２からの逸脱が運転者の意図によるものではないと判定する。
【００３６】
即ち、本実施形態では、非操縦系の操作部材への操作入力がなされ（Ｓ_ns＝ＯＮ、ステップ３０３：ＹＥＳ）、且つブレーキ入力及び所定速度ω０以上の操舵速度ωsが検出されない場合（Ｓ_bk＝ＯＦＦ、ステップ３０４：ＮＯ、及び|ωs|＜ω０、ステップ３０５：ＮＯ）にその走行車線３２からの逸脱が運転者の意図によるものではないと判定する。そして、非操縦系の操作部材への操作入力がない場合（Ｓ_ns＝ＯＦＦ、ステップ３０３：ＮＯ）、ブレーキ入力がある場合（Ｓ_bk＝ＯＮ、ステップ３０４：ＹＥＳ）、又は所定速度ω０以上の操舵速度ωsが検出された場合（|ωs|≧ω０、ステップ３０５：ＮＯ）には、運転者の意図によるものであると判定し、以下に示すステップ３０６〜ステップ３０９の処理を実行しない。
【００３７】
次に、転舵ＥＣＵ２５は、上記ステップ３０１〜３０５の判定処理において、ステアリング操作が過誤入力であると判定した場合（最終的にステップ３０５：ＮＯ）、同転舵ＥＣＵ２５内において演算された制御目標角θt*を無効とする。即ちステアリング操作に応じた転舵角θtの変更を実行しない（ステップ３０６）。そして、上位制御装置３４から入力される目標転舵角θt_a*に基づき転舵アクチュエータ８の作動を制御する。即ち、上記レーンキープ制御を「オン」とする（ステップ３０７）。
【００３８】
また、本実施形態では、制御装置２０（反力ＥＣＵ２６）は、続いてステアリング２の操舵角θsを転舵角θtに対応させるべく同操舵角θsの位置制御を実行する。具体的には、転舵ＥＣＵ２５は、運転者によるステアリング操作が過誤入力である場合には、反力ＥＣＵ２６に過誤入力防止機構が作動したことを示す実行信号Ｓeを出力する。そして、反力ＥＣＵ２６は、この実行信号Ｓeが入力された場合には、操舵角θsを転舵角θtに対応する値とすべく反力アクチュエータ１７の作動を制御する（ステップ３０８）。そして、制御装置２０（転舵ＥＣＵ２５）は、警告装置４１に警告信号Ｓwを出力することにより、搭乗者に対して走行車線３２からの逸脱の可能性があったことの警告出力を実行する（ステップ３０９）。
【００３９】
そして、上記ステップ３０１〜３０５の判定処理において、ステアリング操作が過誤入力ではないと判定した場合（ステップ３０１：ＮＯ、ステップ３０２：ＹＥＳ、ステップ３０３：ＮＯ、ステップ３０４：ＹＥＳ、又はステップ３０５：ＹＥＳ）には、同転舵ＥＣＵ２５内部で演算された制御目標角θt*に基づき転舵アクチュエータ８の作動を制御する（ステップ３１０）。
【００４０】
尚、本実施形態では、制御装置２０により制御手段、ステアリング入力検出手段、過誤入力判定手段、推定手段、操作入力検出手段が構成される。そして、上位制御装置３４により自動操舵制御手段が、走行車線検出装置３３が構成される。
【００４１】
以上、本実施形態によれば、以下のような特徴を得ることができる。
（１）制御装置２０（転舵ＥＣＵ２５）は、運転者によるステアリング操作が過誤入力であるか否かを判定する（ステップ３０１〜３０５）。具体的には、運転者によるステアリング操作が車両３１を走行車線３２から逸脱させるものであり（ステップ３０１：ＹＥＳ）、且つ運転者に車線変更の意図がないと推定される場合に、そのステアリング操作が過誤入力であると判定する。そして、そのステアリング操作が過誤入力であると判定した場合（最終的にステップ３０５：ＮＯ）、同転舵ＥＣＵ２５内において演算された制御目標角θt*を無効とし、ステアリング操作に応じた転舵角θtの変更を実行しない（ステップ３０６）。このような構成とすれば、わき見等により、運転者が車両３１を走行車線３２から逸脱させるような過誤入力をした場合であっても、その過誤によるステアリング操作によって車両が転舵することはない。従って、過誤入力に起因する走行車線３２からの逸脱を効果的に防止することができる。
【００４２】
（２）転舵ＥＣＵ２５は、同転舵ＥＣＵ２５内で演算された転舵角θtの制御目標角θt*、即ちステアリング操作に基づく制御目標角θt*と上位制御装置３４から入力される目標転舵角θt_a*とを比較し、その差分（|θt*−θt_a*|）が所定の閾値αよりも大きい場合に、そのステアリング操作が走行車線３２を逸脱させるものであると判定する（ステップ３０１）。このような構成とすれば、いち早く走行車線３２からの逸脱可能性を判定することができ、これにより過誤入力防止機能の精度を高めることができる。
【００４３】
（３）転舵ＥＣＵ２５は、非操縦系の操作部材への操作入力がなされ（Ｓ_ns＝ＯＮ、ステップ３０３：ＹＥＳ）、且つブレーキ入力及び所定速度ω０以上の操舵速度ωsが検出されない場合（Ｓ_bk＝ＯＦＦ、ステップ３０４：ＮＯ、及び|ωs|＜ω０、ステップ３０５：ＮＯ）にその走行車線３２からの逸脱が運転者の意図によるものではないと判定する。このような構成とすれば、走行車線逸脱の意図を精度良く推定することができ、これにより過誤入力防止機能の精度を高めることができる。
【００４４】
（４）転舵ＥＣＵ２５は、そのステアリング操作が過誤入力であると判定した場合には、上位制御装置３４から入力される目標転舵角θt_a*に基づき転舵アクチュエータ８の作動を制御する。即ち、上記レーンキープ制御を「オン」とする（ステップ３０７）。このような構成とすれば、より確実に走行車線３２からの逸脱を防止することができる。
【００４５】
（５）制御装置２０（反力ＥＣＵ２６）は、そのステアリング操作が過誤入力であると判定した場合には、ステアリング２の操舵角θsを転舵角θtに対応させるべく同操舵角θsの位置制御を実行する。このような構成とすれば、操舵反力の増加によって運転者に過誤入力の発生を早期に認識させることができるとともに、操舵角θsが転舵角θtに対応することによって、素早く通常制御に復帰することができるようになる。
【００４６】
（６）制御装置２０（転舵ＥＣＵ２５）は、警告装置４１に警告信号Ｓwを出力することにより、搭乗者に対して走行車線３２からの逸脱の可能性があったことの警告出力を実行する（ステップ３０９）。このような構成とすれば、搭乗者に走行車線３２からの逸脱の可能性があったことを迅速に知らしめることができる。
【００４７】
なお、本実施形態は以下のように変更してもよい。
・本実施形態では、転舵ＥＣＵ２５と反力ＥＣＵ２６とを別々に設けたが、制御装置２０に転舵ＥＣＵ２５及び反力ＥＣＵ２６の機能を一体的に持たせる構成としてもよい。
【００４８】
・本実施形態では、制御装置２０により、過誤入力判定手段、推定手段、操作入力検出手段が構成されることとした。しかし、これに限らず、これら各手段は、例えば上位制御装置３４等、その他の制御手段により構成されることとしてもよい。
【００４９】
・本実施形態では、運転者によるステアリング操作が過誤入力であるか否かは、そのステアリング操作が車両３１を走行車線３２から逸脱させるものであるか否かの判定（ステップ３０１）、及びその走行車線３２からの逸脱が運転者の意図によるものであるか否かの推定（ステップ３０２〜３０５）により行われることとした。しかし、これに限らず、ステアリング操作が車両３１を走行車線３２から逸脱させるものでない場合について判定してもよく、例えば、そのステアリング操作が車両３１を何らかの障害物に衝突させるものであるか否かの判定により行うこととしてもよい。
【００５０】
・本実施形態では、ステアリング操作に基づく制御目標角θt*と上位制御装置３４から入力される目標転舵角θt_a*との比較により、そのステアリング操作が走行車線３２を逸脱させるものであると判定することとしたが、この走行車線の逸脱判定は、ヨーレイト変化等、その他の方法により行うこととしてもよい。
【００５１】
・本実施形態では、特に言及しなかったが、制御目標角θt*と目標転舵角θt_a*との比較に用いる閾値αは、車速Ｖや走行車線情報Ｉ_rrにより特定される走行車線３２の幅に応じて変更するとよい。即ち車速Ｖが高い又は走行車線３２の幅が狭い場合には閾値αを小とすることで、過誤入力防止機能の精度をより高めることが可能になる。
【００５２】
・本実施形態では、車線変更意図の推定は、方向指示入力の有無、及び非操縦系の操作部材への操作入力による注意力の低下が発生していると推定されるか否かにより行われることとした。しかし、これに限らず、これらの何れか一方により行ってもよく、これら以外の方法により行ってもよい。
【００５３】
・本実施形態では、非操縦系の操作部材への操作入力による注意力低下の判定は、ブレーキ操作の有無、所定速度ω０以上の操作速度の有無により行うこととしたが、これに限らず、その他のパラメータに基づいて行うこととしてもよい。
【００５４】
・本実施形態では、ステアリング操作が過誤入力である場合、操舵角θsを転舵角θtに対応させるべく同操舵角θsの位置制御を実行することとしたが、ステアリング２に付与する操舵反力を通常よりも大とする構成としてもよい。
【００５５】
・また、上記過誤入力判定、並びに過誤入力時の操舵反力制御については、ステアバイワイヤ式のものに限らず、ステアリングと転舵輪が機械的に連結されたもの、例えば、反力アクチュエータを有する伝達比可変装置付きの車両用操舵装置に具体化してもよい。
【００５６】
・本実施形態では、ステアリング操作が過誤入力である場合、そのステアリング操作に基づく転舵角θtの変更を実行しないのみならず、併せてレーンキープ制御、操舵角θsを転舵角θtに対応させる位置制御、及び警告出力を実行することとした。しかし、これに限らず、レーンキープ制御、操舵角θsの位置制御、又は警告出力の少なくとも何れか一つは実行しなくともよく、またその他の車両制御を併せて実行することとしてもよい。
【図面の簡単な説明】
【００５７】
【図１】本実施形態のステアリング装置の概略構成図。
【図２】転舵ＥＣＵによる転舵アクチュエータの制御態様を示すフローチャート。
【図３】反力ＥＣＵによる反力アクチュエータの制御態様を示すフローチャート。
【図４】車両と走行車線との関係を示す説明図。
【図５】過誤入力防止制御の態様を示すフローチャート。
【符号の説明】
【００５８】
１…ステアリング装置、２…ステアリング（ハンドル）、３…操舵機構、４…転舵輪、５…転舵機構、６…ステアリングシャフト、７…操舵角センサ、８…転舵アクチュエータ、１２…転舵軸、１６…トルクセンサ、１７…反力アクチュエータ、２０…制御装置、２１…車速センサ、２２…変位量センサ、３１…車両、３２…走行車線、３３…走行車線検出装置、３４…上位制御装置、τ…操舵トルク、Ｖ…車速、θs…操舵角、ωs…操舵速度、θt…転舵角、θt*…制御目標角、θt_a*…目標転舵角、α…閾値、Ｉ_rr…走行車線情報、Ｓ_tr…方向指示信号、Ｓ_ns…操作入力信号、Ｓ_bk…ブレーキＯＮ信号、Ｓw…警告信号、Ｓe…実行信号。
【図１】
2006248304.tif 000003
【図２】
2006248304.tif 000004
【図３】
2006248304.tif 000005
【図４】
2006248304.tif 000006
【図５】
2006248304.tif 000007